(57)【要約】【課題】ダイヤル錠を用いたリング錠における操作性の向上を図ることを課題とする。【解決手段】自転車などに適用することができる、切欠部１５を有する環状のケーシング１１と閂１６とを備えたリング錠である。錠部は、ダイヤル２２を回すことによって施錠解錠がなされるダイヤル錠であり、ケーシング１１は、その前面と後面と側面の３つ面に連続するダイヤル用開口部２０を備える。ダイヤル２２はダイヤル用開口部２０からケーシング１１の３つ面に露出している。【選択図】図１
0003205115.tif 000002
【実用新案登録請求の範囲】
【請求項１】
一部に切欠部を有する環状のケーシングと、前記切欠部に対向する前記ケーシングの一端から出没する閂と、前記ケーシングの前記切欠部に対向する他端に前記閂を渡した状態で固定して施錠状態とする錠部とを備えたリング錠において、
前記錠部は、ダイヤルを回すことによって施錠解錠がなされるダイヤル錠であり、
前記ケーシングは、前面と、前記前面に対して後方に位置する後面と、前記前面と前記後面とを繋ぐ側面との３つ面に連続するダイヤル用開口部を備え、
前記ダイヤルは、前記ダイヤル用開口部から、前記ケーシングの前記前面、前記側面及び前記後面の３つ面に露出していることを特徴とするリング錠。
【請求項２】
前記ダイヤルは、複数のダイヤルが共通の回動軸線上に配置され、
前記ダイヤルの前記回動軸線が前記側面に対して略平行に配置されていることを特徴とする請求項１記載のリング錠。
【考案の詳細な説明】
【技術分野】
【０００１】
本考案は、主に自転車などの乗り物に用いられるリング錠に関するものである。
【背景技術】
【０００２】
主として自転車に装着されるリング錠としては、特許文献１に示すように錠前と鍵とが別体となっているものが主流を占めている。ところが、鍵は紛失のおそれがあり、また鍵を忘れてしまって鍵を取りに戻るということもあり、不便である。
そのため、特許文献２に示すように、鍵を用いずにボタンの操作で施錠解錠をなし得るようにしたリング錠も提案されている。
【０００３】
他方、特許文献３などに示されているようなダイヤル錠は、解錠の組み合わせ数を比較的多くすることができるが、ワイヤー錠に主として採用されている。
【０００４】
特許文献４にあっては、ダイヤル錠を装着したリング錠が提案されている。ところがこのリング錠にあってはケーシングの前面と後面との２つ面にダイヤルが露出しているにとどまる。そのため、特許文献３のようなワイヤー錠に比べて、ダイヤルを回す動作が、困難であるという課題を有する。
【０００５】
ワイヤー錠の場合には、ダイヤルの周囲360度が解放されているため、ダイヤルをつまんだ指先自体を回すようにして、ダイヤルを回すことができるのに対して、特許文献４の場合には、前面と後面の２つの平面に露出したダイヤルを、指先で送るようにしてダイヤルを回すことになるため、ダイヤルの送り量が限られているとともに、経年変化でダイヤルの回りが悪くなった場合には、ダイヤルを回すことは非常に困難になる。
【先行技術文献】
【特許文献】
【０００６】
【特許文献１】特許第５３５２１６７号公報
【特許文献２】実用新案登録第２５２０６４４号公報
【特許文献３】特開２０００−２０４８１３号公報
【特許文献４】実用新案登録第２５０２６９３号公報
【考案の概要】
【考案が解決しようとする課題】
【０００７】
本考案の課題は、ダイヤル錠を用いたリング錠における操作性の向上を図ることを課題とする。
【課題を解決するための手段】
【０００８】
本考案は、一部に切欠部を有する環状のケーシングと、前記切欠部に対向する前記ケーシングの一端から出没する閂と、前記ケーシングの前記切欠部に対向する他端に前記閂を渡した状態で固定して施錠状態とする錠部とを備えたリング錠において、前記錠部は、ダイヤルを回すことによって施錠解錠がなされるダイヤル錠である。
前記ケーシングは、前面と、前記前面に対して後方に位置する後面と、前記前面と前記後面とを繋ぐ側面との３つ面に連続するダイヤル用開口部を備え、前記ダイヤルは、前記ダイヤル用開口部から、前記ケーシングの前記前面、前記側面及び前記後面の３つ面に露出している。
前記ダイヤルは、複数のダイヤルが共通の回動軸線上に配置され、前記ダイヤルの前記回動軸線が前記側面に対して略平行に配置されているものとすることができる。これによって、ケーシングの３つ面からダイヤルを回すことができる。特に、ダイヤルをつかんだ指先を立体的に回すことも可能となるため、操作性が向上する。
【考案の効果】
【０００９】
本考案は、ダイヤル錠を用いたリング錠における操作性の向上を図ることができたものである。
【図面の簡単な説明】
【００１０】
【図１】本考案の第１の実施の形態にかかるリング錠を示すもので、（Ａ）は正面図、（Ｂ）は側面図、（Ｃ）は底面図である。
【図２】同リング錠の要部の内部構造の説明図である。
【図３】本考案の第２の実施の形態にかかるリング錠を示すもので、（Ａ）は正面図、（Ｂ）は側面図、（Ｃ）は底面図である。
【考案を実施するための形態】
【００１１】
以下、図面に基づき本考案の実施の形態を説明する。
（リング錠の基本的な構造）
この実施の形態にかかるリング錠は、図１及び図２に示すように、前面ケース１２と後面ケース１３とが組み合わされて、ケーシング１１が構成されている。前面ケース１２と後面ケース１３の少なくともいずれか一方の周囲からは、後方または前方に伸びる側面１４が形成されている。ケーシング１１は全体が略環状をなし、その一部に切欠部１５が形成されている。ケーシング１１の内部には弧状の閂１６が配置されており、閂１６はケーシング１１の一端から出没し、他端に渡された状態で固定されて施錠状態となる。閂１６は、図２に示す閂バネ１８によって常時ケーシング１１内に引き込まれるように付勢されている。施錠に際しては、前面ケース１２から突出する摘み１７を持って閂１６を回動させる。後面ケース１３には自転車のシートステイなどに取り付けるための金具が設けられる。
【００１２】
閂１６は、施錠状態で係止片２７によって固定される。係止片２７は後面ケース１３に回動可能に設けられ、係止バネ２８よって常に閂１６に突出するように反時計回りに付勢されている。施錠状態では、閂１６の基端寄りに設けられた係合穴１９と係止片２７とが合致し、係止片２７の先端が反時計回りに回動して係合穴１９に入ることによって、閂１６は固定状態となる。解錠状態では、係止片２７が時計回りに回動して係合穴１９から抜け出すと共に、閂１６が閂バネ１８に引っ張られて時計回りに回動し、全体がケーシング１１内に引き込まれる。なお、この解錠状態では、係止バネ２８によって付勢された状態で、係止片２７の先端は閂１６の外周側面に当接している状態となる。
以上の構造と動きは、通常のリング錠と同一であり、リング錠に加えられる種々の変更を付加して実施することができる。
【００１３】
（ダイヤル錠について）
上記の閂１６の施錠状態を維持させるための錠部は、ダイヤル２２を回すことによって施錠解錠がなされるダイヤル錠２１である。
【００１４】
このダイヤル錠２１は、共通の回動軸線上に回動可能に配列された複数のダイヤル２２と、ダイヤル２２の内部の回動軸線上に通される貫通軸２３とを備える。このダイヤル錠２１は、特許文献４などの従来のダイヤル錠と同様の構成を採用することができるもので、例えば、貫通軸２３にダイヤル２２の数に応じた複数の突起を設け、ダイヤル２２の内部の周方向の一部にキー溝（図示せず）を設けた構造を示すことができる。
【００１５】
この構造によれば、ダイヤル２２が所定の解錠角度（一般的には特定のキーナンバー）となるように回されることにより、貫通軸２３の突起とダイヤル２２のキー溝とが合致し、貫通軸２３は軸方向（図２の上下方向）への移動が可能となる。
他方、ダイヤル２２がキーナンバーと異なる角度に回され、少なくとも一つのダイヤル２２のキー溝と貫通軸２３の突起との位置が不一致となることにより、貫通軸２３は、軸方向に摺動不可能となり、下方位置又は上方位置のままで動かなくなる。
【００１６】
この貫通軸２３は、その先端（図２では下端）にケーシング１１の外に突出した操作部２４が設けられているとともに、貫通軸２３と係止片２７とが連動部材２６によって連絡されている。連動部材２６とこれに接続された貫通軸２３は、摺動バネ２５によって常時下方に付勢されている。
【００１７】
なお、ダイヤル錠２１の具体的構造は、特許文献４に示されているように、ダイヤル本体と筒状体とから構成し、組立後、筒状体のキー溝とダイヤル本体のキーナンバーとの組合せを変更できるようにしたり、あるいは、ダイヤル本体と筒状体とを一体的に形成したりするなど、適宜変更することができる。又、貫通軸２３に軸方向に沿うキー溝を設け、ダイヤル２２に突起を設けるようにしてもかまわない。
【００１８】
（解錠と施錠の動き）
貫通軸２３が摺動可能な状態（ダイヤル２２がキーナンバーに合わされた状態）では、摺動バネ２５の付勢によって、貫通軸２３とその操作部２４が下方位置に移動して、操作部２４がケーシング１１から下方に突出する。
【００１９】
この摺動可能な状態で、人の操作によって操作部２４が上方位置に押し上げられると、摺動バネ２５の付勢に抗して貫通軸２３と連動部材２６とが上方に押し上げられる。このとき、前述の閂１６の固定状態（閂１６の係合穴１９に係止片２７の先端が入った状態）では、連動部材２６の上端が係止片２７の伝達部２９を押し上げて、係止片２７を時計回りに回動させる。これにより、閂１６の係合穴１９と係止片２７との係合が外れて、閂１６は閂バネ１８に引っ張られて時計回りに回動して解錠状態となる。なお、この解錠状態では、前述のとおり係止片２７の先端は係止バネ２８の付勢を受けた状態で、閂１６の外周側面に当接している。また、人が操作部２４から手を放すと、摺動バネ２５の付勢によって、貫通軸２３、操作部２４及び連動部材２６は下方位置まで戻る。
【００２０】
上記の解錠状態から施錠にするには、摘み１７を持って反時計回りに閂１６を回動させる。閂１６がケーシング１１の一端から他端に渡される位置まで回動すると、係止バネ２８の付勢によって係止片２７の先端が閂１６の係合穴１９に入り込む。この係止片２７と係合穴１９とが係合した状態で、ダイヤル２２をキーナンバーと異なる角度に回すことにより、貫通軸２３は、軸方向に摺動不可能となり、下方位置のままで動かなくなる。従って、操作部２４を押し上げても貫通軸２３は動かないため、連動部材２６によって係止片２７を回動させることはできず、施錠がなされることになる。
【００２１】
（ダイヤルの露出について）
本考案の実施の形態に係るダイヤル２２は、ケーシング１１の前面、側面及び後面の３つ面に露出している。具体的には前面ケース１２、後面ケース１３及び側面１４に連続するダイヤル用開口部２０が形成され、このダイヤル用開口部２０からダイヤル２２が３面に突出している。なおダイヤル用開口部２０は、ダイヤル２２毎に別々に形成することもできるし、連続した一つの大きな開口としてもかまわない。
【００２２】
これによって、ダイヤル２２を指先でつまんで回すことができ、操作性が向上する。またダイヤル２２の大きさを大きなものとすることができ、この点からも操作性を向上させることができる。しかも、図１（Ｃ）の矢印に示すように、３つの面から連続してダイヤル２２を突出させることによって、一度の指先の作業で、ダイヤル２２を大きく回すことも容易になる。特許文献４のように、前面と後面との２面のみからダイヤルが突出しているだけだと、一度の指先の作業で回せるダイヤル２２の角度は小さくならざるを得ず、ついつい面倒になって１目盛り程度を回すに止まってしまう結果、盗難の可能性が高くなってしまうのに対して、本考案にあっては、ダイヤル２２を大きく回すことも容易になる結果、盗難の抑制を図ることもできるものである。
【００２３】
さらに図３に示すように、前面ケース１２に前方に突出した膨出部３１を設けることによって、ダイヤル２２をより大きなものとすることも可能である。このダイヤル２２は後面ケース１３に設けてもかまわないし、両方に設けてもかまわない。
【符号の説明】
【００２４】
１１  ケーシング
１２  前面ケース
１３  後面ケース
１４  側面
１５  切欠部
１６  閂
１７  摘み
１８  閂バネ
１９  係合穴
２０  ダイヤル用開口部
２１  ダイヤル錠
２２  ダイヤル
２３  貫通軸
２４  操作部
２５  摺動バネ
２６  連動部材
２７  係止片
２８  係止バネ
２９  伝達部
３１  膨出部
【図１】
0003205115.tif 000003
【図２】
0003205115.tif 000004
【図３】
0003205115.tif 000005